(57)【要約】【課題】互いに連結される二枚の壁パネルを、その側端部において互いに寄せ合う力を作用させてモールを不要または最小限となるように、止水性や組み付け強度の向上を図る。【解決手段】コーナー部の第１の壁パネル１と第２の壁パネル２を浴室ユニットの床６の上に仮設置し、さらに第２の壁パネル２に隣接する第３の壁パネル３を仮設置し、隣接された壁パネル同士を、隣接された壁パネルの背面に渡って設けられる当接部材にて近づけて当接させて連結する組立方法において、当接部材として突起部を備えた突起付き連結材と突起部が嵌合される溝部を備えた溝部付き連結材を使用し、溝部は少なくとも一部が傾斜して設けられて、構部に突起部が嵌合することで壁パネル同士を当接する。【選択図】図１
2019027268.tif 000002
【特許請求の範囲】
【請求項１】
浴室ユニットの壁パネルの組立方法において、コーナー部の二枚の壁パネルを床パンまたはそれに類する壁積載部材に仮設置する工程と、仮設置された壁パネルに隣接する壁パネルを床パンまたはそれに類する壁積載部材にさらに仮設置する工程と、隣接された壁パネル同士を当接用部材にて近づけて当接させる工程とを備えることを特徴とする壁パネルの組立方法。
【請求項２】
請求項１に記載の壁パネルの組立方法において、当接用部材は隣接された壁パネルの背面に渡って設けられる連結材であることを特徴とする壁パネルの組立方法。
【請求項３】
請求項２に記載の壁パネルの組立方法において、連結材は突起部を備えた連結材と突起部が嵌合される溝部を備えた連結材からなり、溝部は少なくとも一部が傾斜して設けられて、構部に突起部が嵌合することで壁パネル同士を当接することを特徴とする壁パネルの組立方法。
【請求項４】
請求項２に記載の壁パネルの組立方法において、壁パネルの背面に係合部材が設けられており、係合部材と連結材のいずれかに突起部が設けられ、もう一方に少なくとも一部が傾斜する溝部が設けられ、溝部に突起部が嵌合することで壁パネル同士を当接することを特徴とする壁パネルの組立方法。
【請求項５】
請求項２または３に記載の壁パネルの組立方法において、連結材は二つの連結材から構成されており、二つの連結材は室内外方向に重ねて設けられており、内側連結材には溝部と拡張部が設けられ、外側連結材は略コの字状であって、突起部と、両端部に拡張部を押圧する押圧部を備えており、溝部に突起部が嵌合し押圧部が拡張部を押圧して壁パネル同士が当接することを特徴とする壁パネルの組立方法。
【請求項６】
請求項２に記載の壁パネルの組立方法において、連結材は二つの連結材から構成されて室内外方向に重ねて設けられており、内側連結材は変形部と長方形状の切欠部が設けられ、外側連結材は略コの字状であって、突起部と、両端部に変形部を変形させる押圧部が設けられ、切欠部に突起部が嵌められた状態で二つの連結材が嵌合することで、変形部が壁パネルを押圧し壁パネル同士が当接することを特徴とする壁パネルの組立方法。
【請求項７】
請求項２に記載の壁パネルの組立方法において、連結材は二つの連結材から構成されており、二つの連結材は室内外方向に重ねて設けられて、内側連結材は変形部と壁当接部を備えており、変形部には複数の突起部が設けられ、突起部が外側連結材の内壁面に当接して変形部が変形することで壁当接部が壁パネルを押圧し壁パネル同士が当接することを特徴とする壁パネルの組立方法。
【発明の詳細な説明】
【技術分野】
【０００１】
本発明は、壁パネルの組立方法に関し、例えば、浴室パネルの壁の組立方法に関する。特に、浴室ユニットの床パンまたはそれに類する壁積載部材に、コーナー部の二枚の壁パネルを仮設置し、さらに仮設置された壁パネルに隣接する壁パネルを仮設置し、これら互いに隣接された壁パネル同士を当接用部材にて近づけて当接させて、壁パネル間のモールなしでの壁パネル同士の連結を可能とする壁パネルの組立方法に関する。
【背景技術】
【０００２】
従来、互いに接続すべき二枚の接続壁にそれぞれ突起を設け、二枚の接続壁を接続する連結材にそれぞれ設けられた孔に、二枚の接続壁にそれぞれ設けられた突起を嵌合させて連結する構造が知られている（特許文献１、２参照）。
【０００３】
同様の構造の従来のパネルの接続構造を図８および図９において示す。このパネルの接続構造は、図２６（ａ）、（ｂ）に示すように、左右隣接された状態で配置された二枚の壁パネル５０、５１が、図２７（ｂ）に示す連結材５２によって連結される構成である。
【０００４】
二枚の壁パネル５０、５１は、それぞれその接続端に、図２６（ａ）、（ｂ）、図２７（ｃ）に示すように縦桟５６が設けられており、この縦桟５６には、図２７（ａ）、（ｂ）に示すように、一部に太幅部５７と細幅部５８を有するスリット５９が形成されている。
【０００５】
二枚の壁パネル５０、５１を連結する連結材５２には、二枚の壁パネル５０、５１のそれぞれのスリット５９に対応して大径部６３を有する突起６４が設けられている。連結材５２の突起６４を、縦桟５６のスリット５９の太幅部５７から挿入し、細幅部５８に位置するように連結材５２を下方に移動することで、二枚の壁パネル５０、５１をモール６５を挟むようにし連結する。
【０００６】
さらに、壁を横スライドさせて連結する構造が知られている（特許文献３、４参照）。具体的には、特許文献３は、すでに組立てられた壁パネルやコーナー柱方向へ、壁パネルをスライドさせるだけで、止め金具を必要とすることなく、各壁パネル間や壁パネルとコーナー柱の間を連結する方法が記載されている。
【０００７】
特許文献４には、隣合わせた壁パネルを左右にスライドさせることにより、一方の壁パネルに取り付けた連結治具の切込み部を、隣の壁パネルに取り付けた連結治具の係止溝に差込み挾んで係止する構成が記載されている。
【０００８】
そして、二枚の壁パネルを互いに接続する連結部材の側面に、それぞれ長手方向に亘って位置決め手段が一体に設けられており、二枚の壁パネルの位置決め手段に二枚の壁パネルの背面側からクリップ部材をはめ込み、壁パネル同士を接続する構造が知られている（特許文献５、６参照）。
【０００９】
また、隣接する一対の壁パネルの被連結端部同士をゴムパッキンを突き合わせて押圧用板バネで挟んで固定する構成が知られている（特許文献７参照）。また、隣接する一対の壁パネルの折り曲げ係止部同士を突き合わせ、クリップで挟み込んで係止して固定する構成が知られている（特許文献８参照）。
【００１０】
さらに、隣接する一対の壁パネルの係止部を突き合わせ、フレーム材の弾性片で挟み込んで固定する構成が知られている（特許文献９参照）。さらに、隣接する一対の壁パネルの係合部材同士を突き合わせ、弾性を有するスタッドによって挟んで固定する構成が知られている（特許文献１０参照）。
【先行技術文献】
【特許文献】
【００１１】
【特許文献１】実開昭６３−１４６００８号公報
【特許文献２】特許第３１３９３５５号公報
【特許文献３】実開平５−３２５９９号公報
【特許文献４】実開平６−８５８０９号公報
【特許文献５】実公平６−２７６８８号公報
【特許文献６】実公平６−２７６８９号公報
【特許文献７】実公昭５１−２２４９５号公報
【特許文献８】特開平１０−３３１２９６号公報
【特許文献９】特開２００２−３４８９９３号公報
【特許文献１０】特許第３６０１４８３号公報
【発明の概要】
【発明が解決しようとする課題】
【００１２】
浴室のパネル壁連結部では、外部への水の流出防止や組立のバラツキを吸収する（隠す）ために、一般的にはモールを挿入している。しかしながら、意匠性の向上という観点からすると、モールはなくすことが好ましい。
【００１３】
また、このように止水性および意匠性の観点からすると、連結される壁パネル同士が互いに寄せ合う力が作用する構造として、両者の隙間はなるべく小さくし、さらに組み付け強度を向上する構成とすることが好ましい。
【００１４】
図２６および図２７等に示された従来の接続構造では、互いに連結される二枚の壁パネル５０、５１が互いに寄せ合う力が作用するような構造ではないので、止水性を確保するために、二枚の壁パネル５０、５１の間にモール６５を配置しなくてはならず、意匠性の観点から好ましくはないだけでなく、部品点数が増え構造が複雑となり、作業の手間がかかる。
【００１５】
二枚の壁パネルの背面側からクリップ部材をはめ込み、壁パネル同士を接続する構造では、クリップの弾性力が弱いと、必ずしも壁パネル同士が密着して接続されるものとは限らず、弾性力が強すぎると、壁パネルへクリップ部材をはめ込む作業も必ずしも容易であるとは言えないものと考えられる。
【００１６】
特許文献７〜１０に記載されている隣接する壁パネルの接続する端部を、弾力性を有する部材で挟んで固定する構成は、弾力性を有する部材を保持する別の部材（例えば、特許文献７〜１０における、板バネ保持部、連結部材、固定具、補強材等）が必要であり、部品点数が多くなり、必ずしも構造的には簡単とは言えない。
【００１７】
本発明は上記従来の問題を解決することを目的とするものであり、互いに連結される二枚の壁パネルを、その接続部において互いに寄せ合う力が作用するような接続工程を備えることで、モールなしでも止水性を向上させ意匠性を向上するとともに、組み付け強度の向上を図ることを課題とする。
【課題を解決するための手段】
【００１８】
本発明は上記課題を解決するために、浴室ユニットの壁パネルの組立方法において、コーナー部の二枚の壁パネルを床パンまたはそれに類する壁積載部材に仮設置する工程と、仮設置された壁パネルに隣接する壁パネルを床パンまたはそれに類する壁積載部材にさらに仮設置する工程と、隣接された壁パネル同士を当接用部材にて近づけて当接させる工程とを備えることを特徴とする壁パネルの組立方法を提供する。
【００１９】
当接用部材は隣接された壁パネルの背面に渡って設けられる連結材であることが好ましい。
【００２０】
連結材は突起部を備えた連結材と突起部が嵌合される溝部を備えた連結材からなり、溝部は少なくとも一部が傾斜して設けられて、構部に突起部が嵌合することで壁パネル同士を当接することが好ましい。
【００２１】
壁パネルの背面に係合部材が設けられており、係合部材と連結材のいずれかに突起部が設けられ、もう一方に少なくとも一部が傾斜する溝部が設けられ、溝部に突起部が嵌合することで壁パネル同士を当接することが好ましい。
【００２２】
連結材は二つの連結材から構成されており、二つの連結材は室内外方向に重ねて設けられており、内側連結材には溝部と拡張部が設けられ、外側連結材は略コの字状であって、突起部と、両端部に拡張部を押圧する押圧部を備えており、溝部に突起部が嵌合し押圧部が拡張部を押圧して壁パネル同士が当接することが好ましい。
【００２３】
連結材は二つの連結材から構成されて室内外方向に重ねて設けられており、内側連結材は変形部と長方形状の切欠部が設けられ、外側連結材は略コの字状であって、突起部と、両端部に変形部を変形させる押圧部が設けられ、切欠部に突起部が嵌められた状態で二つの連結材が嵌合することで、変形部が壁パネルを押圧し壁パネル同士が当接することが好ましい。
【００２４】
連結材は二つの連結材から構成されており、二つの連結材は室内外方向に重ねて設けられて、内側連結材は変形部と壁当接部を備えており、変形部には複数の突起部が設けられ、突起部が外側連結材の内壁面に当接して変形部が変形することで壁当接部が壁パネルを押圧し壁パネル同士が当接することが好ましい。
【発明の効果】
【００２５】
本発明によると、コーナー部の二枚の壁パネルを床に仮設置する工程と、仮設置された壁パネルに隣接する壁パネルを床にさらに仮設置する工程と、隣接された壁パネル同士を当接用部材にて近づけて当接させる工程とを備えるので、壁パネル同士を寄せて連結することができ、モールが不要となる。
【図面の簡単な説明】
【００２６】
【図１】本発明に係る壁パネルの組立方法によって組み立てられた浴室ユニットの壁パネルの浴室側の面を示す図であり、斜め上方から浴室ユニットを通して浴室ユニットの床の上面を見下ろすように見た斜視図である。なお、図１は、実施例１〜７に共通である。
【図２】本発明に係る壁パネルの組立方法の実施例１を説明する図であり、実施例１において直線的に連結される第２の壁パネルと第３の壁パネルを配置した状態を示す図であり、（ａ）は背面側（浴室の外側）から見た図であり、（ｂ）は平面図である。
【図３】突起部付き連結材について、（ａ）は正面側（浴室の内側）から見た図と平面図であり、（ｂ）は背面側から見た図であり、溝部付き連結材について、（ｃ）は正面側から見た図と平面図であり、（ｄ）は背面側から見た図である。
【図４】（ａ）は上記実施例１の溝部付き連結材の背面側から見た溝部の形状を示す図であり、（ｂ）溝部の変形例を示す背面側から見た図であり、（ｃ）は溝部の他の変形例を示す背面側から見て、突起を背面側から打ち込む状態を示す図であり、（ｄ）は該他の変形例に対応する突起が打ち込まれて固定される突起付き連結材を正面側から見た図である。
【図５】（ａ）〜（ｃ）は、上記実施例１において、突起部付き連結材を溝部付き連結材に組み込む工程を説明する図である。
【図６】上記実施例１において、突起部付き連結材を溝部付き連結材によって、第２の壁パネルと第３の壁パネルを連結する工程を説明する図であり、（ａ）は連結の開始状態を示す平面図であり、（ｂ）は連結完了状態を示す平面図である。
【図７】（ａ）は本発明に係る壁パネルの組立方法の実施例２を説明する平面図であり、（ｂ）は本発明に係る壁パネルの組立方法の実施例３を説明する平面図である。
【図８】本発明に係る壁パネルの組立方法の実施例４を説明する図であり、実施例４において使用する外側連結材を説明する図であり、（ａ）は平面図であり、（ｂ）正面側から見た図（正面図）であり、（ｃ）は背面側から見た図（背面図）であり、（ｄ）は突起部を示す図である。
【図９】上記実施例４において使用する内側連結材を示す図であり、（ａ）は正面側斜めから見た斜視図であり、（ｂ）背面側斜めから見た斜視図であり、（ｃ）は水平断面図である。
【図１０】上記実施例４において、内側連結材について外側連結材（２点鎖線で示す）との関係的構成を説明する図であり、（ａ）は溝部上端における水平断面図であり、（ｂ）は（ａ）のＢ−Ｂ断面図であり、（ｃ）は溝部下部における水平断面図であり、（ｄ）は（ｃ）のＣ−Ｃ断面図である。
【図１１】上記実施例４において、外側連結材を内側連結材に嵌合し第２の壁パネルと第３の壁パネルを連結する工程を説明する斜視図であり、（ａ）は外側連結材を内側連結材に背面側から近づけている状態を示し、（ｂ）は外側連結材を内側連結材に外側から嵌合し正面側下方へ移動中の状態を示し、（ｃ）は外側連結材を内側連結材に深く嵌合した状態を示す斜視図である。
【図１２】上記実施例４において、第２の壁パネルと第３の壁パネルを連結する工程を説明する平面図であり、（ａ）は第２の壁パネルと第３の壁パネルの互いの起立部を当接し、内側連結材を配置した状態を示し、（ｂ）は突起部を溝部の上端部の開口に挿入した状態を示し、（ｃ）は外側連結材を内側連結材に最終的に嵌合した状態を示す平面図である。
【図１３】本発明に係る壁パネルの組立方法の実施例５を説明する図であり、実施例５において使用する内側連結材を説明する図であり、（ａ）は斜視図であり、（ｂ）平面図であり、（ｃ）は（ａ）において矢印Ｃ方向に見た図であり、（ｄ）は（ｃ）のＤ−Ｄ断面図である。
【図１４】上記実施例５において使用する外側連結材を説明する図であり、（ａ）は斜視図であり、（ｂ）平面図であり、（ｃ）〜（ｅ）は突起部を説明する図であり、（ｃ）は（ｂ）において矢印Ｃ方向に見た図であり、（ｄ）は（ｃ）のＤ−Ｄ部分断面図であり、（ｅ）は斜視図である。
【図１５】上記実施例５において、第２の壁パネルと第３の壁パネルを横並びで直線的に連結する際に、外側連結材を内側連結材に背面側から外側に嵌合する工程を説明する図であり、（ａ）は斜視図であり、（ｂ）平面図である。
【図１６】上記実施例５において、第２の壁パネルと第３の壁パネルを横並びで直線的に連結した状態における、外側連結材を内側連結材に背面側から外側に嵌合した状態を示す図であり、（ａ）は斜視図であり、（ｂ）平面図である。
【図１７】上記実施例５において、第２の壁パネルと第３の壁パネルを横並びで直線的に連結する工程を説明する平面図であり、（ａ）は第２の壁パネルと第３の壁パネルの互いの起立部を対向させ、内側連結材を配置した状態を示し、（ｂ）は外側連結材を内側連結材に背面側から外側に嵌合する工程を説明する図であり、（ｃ）は外側連結材を内側連結材に最終的に嵌合し、第２の壁パネルと第３の壁パネルを連結した状態を示す図である。
【図１８】本発明に係る壁パネルの組立方法の実施例６を説明する図であり、実施例６において使用する内側連結材を説明する図であり、（ａ）は内側連結材の上部の斜視図であり、（ｂ）平面図であり、（ｃ）は突起部を説明する斜視図であり、（ｄ）は内側連結材の背面側に外側連結材が嵌合し重ねた場合に内側連結材の変形部が変形する状態を示す要部平面図である。なお、（ａ）は内側連結材の上部しか示していないが、下部も同様の構成である。
【図１９】上記実施例６において、外側連結材を説明する図であり、（ａ）は外側連結材の上部の斜視図であり、（ｂ）平面図である。なお、（ａ）は外側連結材の上部しか示していないが、下部も同様の構成である。
【図２０】上記実施例６において、連結材の構成を説明する図であり、第２の壁パネルと第３の壁パネルを横並びで直線的に連結する工程において、内側連結材の背面側に外側連結材を嵌合し重ねた状態を示す図であり、（ａ）は斜視図であり、（ｂ）平面図である。
【図２１】上記実施例６において、連結材の構成を説明する図であり、第２の壁パネルと第３の壁パネルを横並びで直線的に連結した状態における、内側連結材と外側連結材を示す図であり、（ａ）は斜視図であり、（ｂ）平面図である。
【図２２】上記実施例６において、第２の壁パネルと第３の壁パネルを横並びで直線的に連結する工程を説明する平面図であり、（ａ）は起立部同士を対向させて仮設置した第１の壁パネルと第２の壁パネルの背面側に、外側連結材が嵌合された内側連結材を配置した状態を示し、（ｂ）は第１の壁パネルと第２の壁パネルを連結した状態を示す図である。
【図２３】本発明に係る壁パネルの組立方法の実施例７を説明する図であり、実施例７において、直線的に連結する第２の壁パネルと第３の壁パネルを仮設置した状態を示す図であり、（ａ）は背面側から見た図（背面図）であり、（ｂ）は背面側から見た斜視図である。
【図２４】実施例７において、（ａ）は第３の壁パネルの縦桟（係合部材）を背面側から見た図であり、（ｂ）は第２の壁パネルの縦桟（係合部材）を背面側から見た図であり、（ｃ）は連結材を正面側から見た斜視図である。
【図２５】実施例７において、第２の壁パネルと第３の壁パネルを連結する組立工程を説明する要部の平面図であり、（ａ）は二つの壁パネルを仮設置した状態を示し、（ｂ）は二つの壁パネルの溝部に背面から連結材の突起部を嵌合した状態を示し、（ｃ）は二つの壁パネルの連結を完了した状態を示す。
【図２６】従来の連結される二枚の壁パネルを隣接配置した状態を示し、（ａ）は背面側から見た図であり、（ｂ）は背面側から見た斜視図を示す。
【図２７】従来の接続構造の組立方法を説明する図であり、（ａ）は縦桟を背面側から見た図であり、（ｂ）は連結材を正面側から見た斜視図であり、（ｃ）は接続構造の平面図を示している。
【発明を実施するための形態】
【００２７】
本発明に係る壁パネルの組立方法を実施するための形態を実施例に基づき図面を参照して、以下説明する。
【実施例】
【００２８】
（実施例１）
本発明に係る壁パネルの組立方法の実施例１を説明する。本明細書では、壁パネルは、浴室ユニットの壁パネルを例として説明する。本明細書では、壁パネルおよび後記する連結材等について、浴室内側を正面側とも言い、浴室外側を背面側とも言う。また、本明細書では、左右については、浴室内側から見て、左右側をそれぞれ左右側と言う。
【００２９】
本発明に係る壁パネルの組立方法は、浴室ユニットの床の上に、コーナー部の二枚の壁パネルを組み立て、さらにその一つの壁パネルと隣接する壁パネルを、順次組み立てて設置する壁パネルの組立方法である。
【００３０】
壁パネルを設置する浴室ユニットの床６は、床パンまたはそれに類する壁積載部材であり、この実施例１では、床パンまたはそれに類する壁積載部材として、図１に示すように、浴槽床６ａと洗い場床６ｂから成る床とする。
【００３１】
この実施例１では、浴室ユニットの床６の上に、図１に示すように、コーナー部の二枚の壁パネルである第１の壁パネル１と第２の壁パネル２が連結されて設置され、さらにコーナー部の二枚の壁パネルの一つである第２の壁パネル２と直線的に横並びされて隣接する第３の壁パネル３が連結されて設置される。
【００３２】
以上の構成から成る浴室ユニットの壁パネルを組み立てる壁パネルの組立方法について、その組立工程に沿って以下説明する。
【００３３】
（組立工程全般）
まず、浴室ユニットの壁パネルを構成するコーナー部の二枚の第１の壁パネル１と第２の壁パネル２を、図１に示すように、浴室ユニットの床６の上に互いに直交する方向に載せ、仮連結した状態に仮設置する工程を行う。
【００３４】
次に、コーナー部の二枚の壁パネルの一つである第２の壁パネル２に対して、一直線的に横並びとなるように第３の壁パネル３を、浴室ユニットの床６の上に載せ、互いに連結されていない状態に仮設置する工程を行う。
【００３５】
次に、第１の壁パネル１と第２の壁パネル２同士を当接用部材にて近づけて当接させて連結するとともに、第２の壁パネル２と第１の壁パネル１同士を当接用部材にて近づけて当接させて連結する工程を行う。
【００３６】
仮設置された第２の壁パネル２と第３の壁パネル３は、図２（ａ）、（ｂ）に示すように、互いに一直線上に隣接して左右に横並び状態で配置されており、第２の壁パネル２と第３の壁パネル３を互いに近づけて連結する当接用部材として、第２の壁パネル２と第３の壁パネル３の背面に渡って設けられる連結材を使用する。
【００３７】
（壁パネルと連結材）
ここで、互いに連結される第２の壁パネル２と第３の壁パネル３の構成について説明するとともに、両壁パネル２、３を連結する連結材の構成と、その接続方法を説明する。
【００３８】
前記のとおり仮設置された第２の壁パネル２と第３の壁パネル３は、図２（ａ）、（ｂ）に示すように、それぞれ互いに連結される側端部が対面するように、左右に並べて配置されている。
【００３９】
第２の壁パネル２と第３の壁パネル３は、図２（ｂ）に示すように、それぞれその側端部において外側に折り曲げられて起立した端面７が形成されており、さらに端面７の先端は折り返され折り返し部分４が形成されている。
【００４０】
第２の壁パネル２と第３の壁パネル３を連結する際には、より止水性を向上させるために、端面７からその折り返し部分４に沿って、図５（ａ）、（ｂ）に示すように、従来使用されているモールに比べて構造が簡単な止水パッキン５を装着しておく。
【００４１】
第２の壁パネル２と第３の壁パネル３は、図３に示すような連結材で連結される。連結材は、二つの連結材９、１０から構成される。二つの連結材９、１０のうち、一方の連結材９は、図３（ａ）、（ｂ）に示すが、突起部１３が設けられており、ここでは突起部付き連結材９と言う。
【００４２】
突起部付き連結材９は、図３（ａ）、図６（ａ）、（ｂ）に示すように、第３の壁パネル３と当接する壁当接部１４と、連結材１０と連結材同士が接続される連結材接続部１５を備え、壁当接部１４は、第３の壁パネル３の端面７に当接する折り返し壁１６を備えている。                                     
【００４３】
突起部１３は、図３（ａ）、図６（ａ）、（ｂ）に示すように、小径部２０と大径部２１から成り、小径部２０が連結材接続部１５に固定されて、大径部２１が連結材接続部１５の背面側に位置するように設けられている。
【００４４】
他方の連結材１０は、図３（ｃ）、（ｄ）に示すが、突起部１３が嵌合する溝部２５が形成されており、ここでは溝部付き連結材１０と言う。
【００４５】
溝部付き連結材１０は、図３（ｃ）、図６（ａ）、（ｂ）に示すように、第２の壁パネル２と当接する壁当接部２６と、突起部付き連結材９と連結材同士が接続される連結材接続部２７を備え、壁当接部２６は、第２の壁パネル２の端面７に当接する折り返し壁２８を備えている。
【００４６】
溝部付き連結材１０の連結材接続部２７は、連結に際しては、後記するが、図６（ａ）、（ｂ）に示すように、突起部付き連結材９の連結材接続部１５に背面側（浴室外側）から当接するように重なる。
【００４７】
この溝部付き連結材１０の連結材接続部２７の端部には、浴室内側方向に折り返す連結材位置決め部２９が設けられている。溝部２５は、溝部付き連結材１０の連結材接続部２７に設けられ、上下方向に伸び浴室の内外方向へ貫通して形成されており、図４（ａ）に示すように、太幅の突起部挿入部３３と、突起部保持部３４と、細溝部３５と、を備えている。
【００４８】
突起部挿入部３３は、突起部１３の大径部２１より若干大きく形成されており、突起部１３の大径部２１が挿通可能である。突起部保持部３４と細溝部３５は、突起部１３の大径部２１より細幅であって突起部１３の小径部２０より太幅に形成されており、突起部１３の大径部２１は、突起部保持部３４と細溝部３５から抜け出ず、突起部１３の小径部２０は、突起部保持部３４と細溝部３５に沿って移動可能なように挿通される。
【００４９】
突起部保持部３４の下方に細溝部３５が形成されている。細溝部３５は、下方に向かうほど第２の壁パネル２と第３の壁パネル３同士が近寄る方向に傾斜して形成されている。換言すると、細溝部３５は、突起部付き連結材９が溝部付き連結材１０に対して下方に移動すると、突起部付き連結材９が溝部付き連結材１０に近寄るように、下方に向け傾斜して形成されている。
【００５０】
より具体的には、細溝部３５は、溝部付き連結材１０における連結材位置決め部２９とは反対方向に向けて傾斜して形成されている。即ち、細溝部３５は、図３（ｄ）、図４（ａ）、図５（ａ）等に示すように浴室の背面側から見ると、下方に向かうほど右方向に傾斜して（右下方向に向けて）形成されている、要するに、細溝部３５は、右下方向に向けて形成されている。
【００５１】
このような構成とすることにより、後記するが、図５（ｃ）に示すように、突起部付き連結材９が下方に向けて叩かれ、突起が細溝部３５内を下方に移動すると、図６（ａ）の状態から図６（ｂ）の状態に示すように、突起部付き連結材９および第３の壁パネル３を、溝部付き連結材１０および第２の壁パネル２に寄せるように移動させることが可能となる。
【００５２】
なお、溝部の変形例を図４（ｂ）と図４（ｃ）、（ｄ）にそれぞれ示す。突起部保持部３４は、突起部１３を突起部挿入部３３から嵌合して下降させてから、突起部付き連結材９を、一旦、保持することができるので、二枚の壁パネル２、３の位置を調整する等の作業をするために都合がよいが、必ずしも必要ではなく、図４（ｂ）に示す変形例の溝部４０は、突起部保持部３４がなく、突起部挿入部３３から斜め下方に向けて細溝部３５が形成されている構成である。
【００５３】
また、図４（ｃ）、（ｄ）に示す他の変形例の溝部４１は、太幅の突起部挿入部３３はなく、細溝部４２のみからから成り、上下方向に伸びる上部とその下端から下方斜めに伸びる傾斜部とから成る。
【００５４】
この他の変形例の溝部４１では、突起部付き連結材９の連結材接続部１５に対して、突溝部付き連結材１０の連結材接続部２７を外側から当接した状態で、突起部１３の小径部２０を、溝部４１の上部を通して突起部付け連結材９の連結材接続部１５の固定孔４３に、例えばリベット打ち込み機で打ち込んで、背面側から固定する。
【００５５】
（第２の壁パネルと第３の壁パネルの接続工程）
第２の壁パネル２と第３の壁パネル３を連結する工程を詳細に説明する。第２の壁パネル２を浴室ユニットの床６の上に配置する。そして、溝部付き連結材１０を、図６（ａ）に示すように、その折り返し壁２８を第２の壁パネル２の端面７に内側から当接した状態で、第２の壁パネル２に嵌合して配置する。
【００５６】
さらに、突起部付き連結材９を、溝部付き連結材１０の連結材位置決め部２９に内側から沿うようにし、突起部１３を突起部挿入部３３から浴室の外側方面に向けて挿入し、図５（ａ）、図６（ａ）に示すような状態に嵌合して配置する。その後に、図６（ａ）に示すように第３の壁パネル３を配置する。
【００５７】
この図５（ａ）に示す状態に突起部付き連結材９を配置すると、突起部付き連結材９の自重で図５（ｂ）に示すように、突起部１３は突起部保持部３４の位置まで移動する。
【００５８】
突起部保持部３４が形成されていないと、突起部付き連結材９は、その自重によって図５（ｃ）の位置まで降下してしまうことがあり、そのようなことが生じると、第３の壁パネル３を配置することができない。
【００５９】
しかし、突起部保持部３４を設けることにより、突起部保持部３４において、突起部付き連結材９を自重で下方に落下しないように一旦保持できるので、第３の壁パネル３を第２の壁パネル２と並べて配置した状態で第３の壁パネル３と第２の壁パネル２の若干移動が可能であり、第３の壁パネル３を第２の壁パネル２の位置の調整等の作業がし易い。  
【００６０】
図５（ｂ）に示す状態から、突起部付き連結材９をわずかに右横方向にずらして、さらに上方から木槌等で下方に向けて叩くと、突起を、図５（ｃ）に示すように、突起部保持部３４からその下方の傾斜した細溝部３５内を移動させるとともに、突起部付き連結材９を、図６（ａ）の位置から、左方向に移動させる。
【００６１】
さらに移動すると、突起部付き連結材９の折り返し壁１６が第３の壁パネル３の端面７に当接し、左側に押して、図６（ｂ）に示すように、第３の壁パネル３を第２の壁パネル２に押圧するように寄せて、第２の壁パネル２と第３の壁パネル３を連結する。
【００６２】
この接続構造では、突起部付き連結材９は、その自重により、溝部２５内の突起部１３を介して第３の壁パネル３を第２の壁パネル２に押圧するように寄せているので、第２の壁パネル２と第３の壁パネル３の連結が解除されにくい。
【００６３】
そして、第２の壁パネル２の端面７と第３の壁パネル３の端面７が互いに密着する。そのために、モールを設けなくても止水効果が生じ、隙間が小さくなり目立たなくなるので意匠性が向上する。
【００６４】
また、図６（ａ）、（ｂ）に示すように、止水パッキン５を第２の壁パネル２の端面７に設けているので、第２の壁パネル２の端面７と第３の壁パネル３の端面７は、図６（ｂ）に示すように、止水パッキン５を介して密着する。そのため、より一層の止水効果が生じる。
【００６５】
以上の説明では、特に、第２の壁パネル２および第３の壁パネル３を直線的に配置して連結する平継ぎの接続工程について説明したが、このような接続工程は、平継ぎのみではなく、互いに直交して配置した第１の壁パネル１および第２の壁パネル２の接続工程について適用できることは言うまでもない。
【００６６】
（実施例２）
本発明に係る壁パネルの組立方法の実施例２について、主に図７（ａ）を参照して説明する。
【００６７】
この実施例２の壁パネルの組立方法は、実施例１の壁パネルの組立方法と略同じであり、組立方法の対象の一部である第２の壁パネル２と第３の壁パネル３の接続構造は、実施例１第２の壁パネル２と第３の壁パネル３の接続構造と比較し、略同じ構成である。
【００６８】
しかしながら、両者は、突起部付き連結材、溝部付き連結材および壁パネル２、３について、それぞれ一部の構成が異なる。従って、ここでは、実施例２の壁パネルの組立方法における、第２の壁パネル２と第３の壁パネル３の接続構造を中心に、特に実施例１の組立方法における第２の壁パネル２と第３の壁パネル３の接続構造と異なる構成を中心に説明する。
【００６９】
実施例２における第３の壁パネル３の端面７の先端に形成された折り返し部分７０は、図７（ａ）に示すように、正面右側に向けて斜め方向に折り返され、さらに正面左側に向けて斜め方向に折り返されている。要するに、折り返し部分７０は、右方向に略＞状に折り返されて形成されている。
【００７０】
同様に、実施例２における第２の壁パネル２の端面７の先端に形成された折り返し部分７１は、図７（ａ）に示すように、正面左側に向けて斜め方向に折り返され、さらに右正面側に向けて斜め方向折り返されている。要するに、折り返し部分７１は、左方向に略＜状に折り返されて形成されている。
【００７１】
突起部付き連結材７５は、壁当接部１４と、壁当接部１４において背面右側に向けて斜め方向に折り返された折り返し部１７と、折り返し部１７の上端から左方向に折り返された連結材接続部１５と、を備え、連結材接続部１５には、実施例１と同様の突起部１３が設けられている。
【００７２】
要するに実施例２では、実施例１の折り返し壁１６と同様に壁当接部１４において折り返されて形成された折り返し部１７を介して、壁当接部１４と連結材接続部１５が連続するように形成されている。
【００７３】
溝部付き連結材７８は、壁当接部２６と、壁当接部２６において背面左側に向けて斜め方向に折り返された折り返し部１８と、折り返し部１８の上端から右方向に折り返された連結材接続部２７と、連結材接続部２７の右端から正面側（浴室内側）に折り返された連結材位置決め部２９と、を備え、連結材接続部２７には、実施例１と同様の溝部２５が形成されている。
【００７４】
要するに実施例２では、実施例１における折り返し壁２８と同様に壁当接部２６において折り返されて形成された折り返し部１８を介して、壁当接部２６と連結材接続部２７が連続するように形成されている。
【００７５】
実施例２の壁パネルの組立方法において、以上の構成から成る連結材７８、７５によって、第２の壁パネル２と第３の壁パネル３を連結する工程は、実施例１における第２の壁パネル２と第３の壁パネル３を連結する工程と同じであるので、説明は省略する。
【００７６】
実施例２の壁パネルの接続構造では、実施例１と同様に、突起部付き連結材７５が下降するに伴い、互いに左右方向に離れていた突起部付き連結材７５と溝部付き連結材７８は、互いに近づく方向に移動する。
【００７７】
そして、図７（ａ）に示すように、突起部付き連結材７５の壁当接部１４は、第３の壁パネル３に当接した状態で、その折り返し部１７は、第３の壁パネル３の折り返し部分７０に当接する。同様に、溝部付き連結材７８の壁当接部２６は、第２の壁パネル２に当接した状態で、その折り返し部１８は、第２の壁パネル２の折り返し部分７１に当接する。
【００７８】
その結果、第２の壁パネル２および第３の壁パネル３は、互いに端面７が当接して連結されるとともに、前後方向への動きも拘束される。従って、第２の壁パネル２および第３の壁パネル３は、前後方向に動かなくなる。
【００７９】
（実施例３）
本発明に係る壁パネルの接続構造の実施例３について、主に図７（ｂ）を参照して説明する。この実施例２の壁パネルの組立方法は、実施例１の壁パネルの組立方法と略同じであり、組立方法の対象の一部である第２の壁パネル２と第３の壁パネル３の接続構造は、実施例１の第２の壁パネル２と第３の壁パネル３の接続構造と比較し、略同じ構成である。
【００８０】
しかしながら、両者は、突起部付き連結材、溝部付き連結材および壁パネル２、３について、それぞれ一部の構成が異なる。従って、ここでは、実施例３の壁パネルの組立方法における、第２の壁パネル２と第３の壁パネル３の接続構造を中心に、特に実施例１の組立方法における第２の壁パネル２と第３の壁パネル３の接続構造と異なる構成を中心に説明する。
【００８１】
実施例３の壁パネルの接続構造は、実施例２の壁パネルの接続構造と同様に、第２の壁パネル２および第３の壁パネル３が前後方向（正面側と背面側）に動かないようにする構成である。
【００８２】
実施例３における第２の壁パネル２および第３の壁パネル３は、実施例２における第２の壁パネル２および第３の壁パネル３と同じ構成であり、それぞれ端面７の先端には、実施例２と同様の構成の折り返し部分７１、７０が形成されている。
【００８３】
実施例３の突起部付き連結材８０は、実施例１の突起部付き連結材９に比べて、折り返し壁の折り返し方向が異なるのみで、それ以外の構成については同じである。即ち、実施例１の折り返し壁１６は、壁当接部１４において背面側に向けて直角に折り返された構成であるが、実施例３の折り返し壁２２は、壁当接部１４において背面右側に向けて斜め方向に折り返されて形成されている。                                     
【００８４】
実施例３の溝部付き連結材８１は、実施例１の溝部付き連結材１０に比べて、折り返し壁の折り返し方向が異なるのみで、それ以外の構成については同じである。即ち、実施例１の折り返し壁２８は、壁当接部２６において背面側に向けて直角に折り返された構成であるが、実施例３の折り返し壁３０は、壁当接部２６において背面左側に向けて斜め方向に折り返されて形成されている。                      
【００８５】
実施例３の壁パネルの組立方法において、以上の構成から成る連結材８０、８１によって、第２の壁パネル２および第３の壁パネル３を連結する工程は、実施例１における第２の壁パネル２および第３の壁パネル３を連結する工程と同じであるので、説明は省略する。
【００８６】
実施例３の壁パネル２、３の接続構造では、実施例１と同様に、突起部付き連結材８０が下降するに伴い、突起部付き連結材８０と溝部付き連結材８１が互いに近づく方向に移動する。
【００８７】
そのため、図７（ｂ）に示すように、突起部付き連結材８０の壁当接部１４は、第３の壁パネル３に当接した状態で、その折り返し壁２２は、第３の壁パネル３の折り返し部分７０に当接する。同様に、溝部付き連結材８１の壁当接部２６は、第２の壁パネル２に当接した状態で、その折り返し壁３０は、第２の壁パネル２の折り返し部分７１に当接する。
【００８８】
その結果、第２の壁パネル２および第３の壁パネル３は、互いに端面７が当接して連結されるとともに、前後方向への動きが拘束される。従って、第２の壁パネル２および第３の壁パネル３は、前後方向に動かなくなる。
【００８９】
（実施例４）
本発明に係る壁パネルの組立方法の実施例４について、図８〜図１２を参照して以下説明する。
【００９０】
この実施例４の壁パネルの組立方法は、実施例１の壁パネルの組立方法と略同じであるが、組立方法の対象の一部である第２の壁パネル９６と第３の壁パネル９７の接続構造について、連結材および壁パネルの構成が一部異なる。従って、ここでは、実施例４の壁パネルの組立方法について、実施例１と異なる点を中心に説明する。
【００９１】
実施例４では、図１２（ａ）〜（ｃ）に示すように、互いに横並びで直線的に連結される第２の壁パネル９６と第３の壁パネル９７は、互いに対面して連結される側端部には、それぞれ浴室外側に直角に折り曲げられた起立部９８が形成されている。    
【００９２】
起立部９８の先端側には、鋭角で折り返された折り返し部９９が形成されており、さらに折り返し部９９の先端側には起立部９８側に折り返された連結材当接部１００が形成されており、折り返し部９９と連結材当接部１００は、全体としてレ字型に形成されている。
【００９３】
第２の壁パネル９６の起立部９８と第３の壁パネル９７の起立部９８のいずれかまたは両方の内面に、壁モールに較べて構造が簡単な止水パッキン１０２を装着しておけば、第２の壁パネル９６と第３の壁パネル９７を連結した際に、図１２（ｃ）に示すように、両起立部９８の間に止水パッキン１０２が挟持されて止水性を向上させることが可能となる。
【００９４】
第２の壁パネル９６と第３の壁パネル９７は、図１１、図１２（ｂ）、（ｃ）に示すような連結材１０１が背面に嵌合されて連結される。連結材１０１は、図１１（ａ）〜（ｃ）に示すように、二つの連結材１１２、１２１から構成される。
【００９５】
二つの連結材１１２、１２１は、浴室内外に方向に重ねて設けられるが、一方の連結材１１２は、図８（ａ）〜（ｃ）に示すように、左右の突起部１１３が設けられており、本明細書では外側連結材１１２と言う。                                   
【００９６】
外側連結材１１２は、図８（ａ）〜（ｃ）に示すように、背部１１６と左右の側部１１７から成り、水平断面がコの字型に形成されている。外側連結材１１２の左右の側部１１７には、それぞれ突起部１１３が互いに左右対称となるように固定されている。
【００９７】
外側連結材１１２は、左右の側部１１７の正面側の端部に、後記する内側連結材１２１の拡張部１２９を内側（左右中心側）に押圧する押圧部１１８を備えている。図８（ａ）〜（ｃ）は、外側連結材１１２の上部を記載しているが、外側連結材１１２の下部にも同様の突起部が左右対称に設けられている。
【００９８】
左右の突起部１１３は、図８（ａ）、（ｂ）、（ｄ）、図１０（ａ）〜（ｄ）に示すように、それぞれ小径部１１４と大径部１１５から成る。左右の突起部１１３は、それぞれ大径部１１５が外側連結材１１２の側部１１７の内側に位置し、小径部１１４が外側連結材１１２の側部１１７の内側から外側に突出するように配置されており、小径部１１４が左右の側部１１７に固定されている。
【００９９】
他方の連結材１２１は、図９（ａ）〜（ｃ）、図１０（ａ）〜（ｄ）に示すように、突起部１１３が嵌合する溝部１２２が形成されており、本明細書では内側連結材１２１と言う。内側連結材１２１は、水平断面は図９（ｃ）に示すような形状をしており、背部１２７と左右の側部１２８を備えている。
【０１００】
左右の側部１２８は、それぞれその正面側には、外側に向けて曲げられた拡張部１２９が形成されており、拡張部１２９の先端側から内側に折り曲げられた正面部１３５が形成されており、さらに正面部１３５から鋭角で折り曲げられた壁当接部１３６が形成されている。
【０１０１】
要するに内側連結材１２１は、全体的に見ると、その内側端部（正面側における左右中心側の端部）には、第２の壁パネル９６と第３の壁パネル９７に当接する左右の壁当接部１３６が形成されている。                      
【０１０２】
内側連結材１２１は、図１２（ｂ）、（ｃ）に示すように、背面側から外側連結材１１２が嵌合可能な断面寸法に形成されている。即ち、内側連結材１２１の背部１２７の横幅は、外側連結材１１２の背部１１６の横幅より、若干小さく形成されている。
【０１０３】
図９（ａ）、（ｂ）に示すように、背部１２７の左右側端部から左右の側部１２８にわたって、それぞれ溝部１２２が形成されている。溝部１２２は、全体的には浴室内側（正面側）に向かうほど下方に向かう斜め溝部として形成されている。図９は内側連結材１２１の上部を記載しているが、内側連結材１２１の下部にも同様の斜め溝部が設けられている。
【０１０４】
図９（ａ）、（ｂ）に示すように、背部１２７の左右側端部に、溝部１２２の上端の開口１３０が形成されており、この開口１３０から正面側の斜め下方に向けて溝幅が狭くなり、溝部１２２の閉止端部側に細溝部１２３が形成されている。
【０１０５】
背部１２７の開口１３０の上下方向の寸法Ｗ１は、図１０（ｂ）に示すように、突起部１１３の大径部１１５の直径Ｄ１より大きく形成されており、側部１２８に形成された細溝部１２３の幅Ｗ２は、図１０（ｄ）に示すように、突起部１１３の大径部１１５の直径Ｄ１より小さくかつ小径部１１４の直径Ｄ２より大きく形成されている。
【０１０６】
このような構成とすることで、外側連結材１１２を内側連結材１２１に背面側から嵌合する際に、図１０（ｂ）に示すように、突起部１１３の大径部１１５は細溝部１２３の開口１３０を通過可能となり、嵌合後は溝部１２２から外れない。また、図１０（ｃ）、（ｄ）に示すように、小径部１１４は細溝部１２３内に嵌合し、移動可能となる。
【０１０７】
（組立工程）                                            
以上の構成から成る浴室ユニットの壁パネルを組み立てる壁パネルの組立方法について、その組立工程に沿って以下説明する。浴室ユニットの壁パネルを構成するコーナー部の二枚の第１の壁パネル９５と第２の壁パネル９６を、実施例１と同様に、浴室ユニットの床６の上に互いに直交する方向に載せ、仮連結した状態に仮設置する工程を行う（図１参照）。
【０１０８】
次に、横並びで直線的に連結する（平継ぎという）第２の壁パネル９６と第３の壁パネル９７を、それぞれ起立部９８を、図１２（ａ）に示すように、互いに対面した状態にして、浴室パン等の床４上に仮設置する。
【０１０９】
次に、図１２（ａ）に示すように、内側連結材１２１の左右の壁当接部１３６を、それらの間に、第２の壁パネル９６と第３の壁パネル９７の起立部９８、折り返し部９９および連結材当接部１００が位置するように、配置する。この状態では、内側連結材１２１の左右の正面部１３５は、第２の壁パネル９６と第３の壁パネル９７の裏面に当接した状態となる。
【０１１０】
次に、外側連結材１１２を、図１０（ａ）、図１１（ａ）に示すように、内側連結材１２１に背面側から近づけ、図１２（ｂ）に示すように、左右の突起部１１３の大径部１１５を、それぞれ内側連結材１２１の背部１２７の左右の開口１３０から内側連結材１２１内に挿入し、左右の突起部１１３の小径部１１４を、それぞれ内側連結材１２１の溝部１２２に挿入する。
【０１１１】
そして、図１１（ｂ）に示すように、外側連結材１１２を上方から木槌等で叩くと、左右の突起部１１３の小径部１１４はそれぞれ細溝部１２３内で、また左右の突起部１１３の大径部１１５はそれぞれ内側連結材１２１の左右の側部１２８の内面に沿って、正面側（浴室内側）かつ斜め下方に向けて移動し、この移動に伴い外側連結材１１２は、図１１（ｃ）に示すように、内側連結材１２１に対してより深く嵌合して内側連結材１２１の背部１２７に近づく。          
【０１１２】
さらに、外側連結材１１２を上方から木槌等で叩くと、外側連結材１１２は正面側に移動し、外側連結材１１２の左右の押圧部１１８は、それぞれ内側連結材１２１における左右の拡張部１２９を内側方向（左右の拡張部１２９が互いに近づく方向）に押し、左右の壁当接部１３６は、左右の連結材当接部１００を互いに近づくように寄せる。
【０１１３】
このために、第２の壁パネル９６と第３の壁パネル９７は、互いに近づくように移動し、図１２（ｃ）に示すように、左右の起立部９８を互いに押し合うにして密着させた状態で、第２の壁パネル９６と第３の壁パネル９７を連結する。
【０１１４】
この浴室用の壁パネルの組立方法では、外側連結材１１２は、その自重により、常時、溝部１２２内の突起部１１３が細溝部１２３に沿って正面側（浴室の内側）かつ斜め下方に付勢されている。このために、外側連結材１１２は、内側連結材１２１側に向けて常時付勢される。
【０１１５】
そのため、外側連結材１１２の左右の側部１１７は、内側連結材１２１の左右の拡張部１２９を互いに近づく方向に寄せ合い、左右の壁当接部１３６は、常時、左右の連結材当接部１００を互いに近づくように付勢しているので、第２の壁パネル９６と第３の壁パネル９７の連結の強度が高められた状態で安定して保持され、解除されにくい。
【０１１６】
そして、第２の壁パネル９６の起立部９８と第３の壁パネル９７の起立部９８が、互いに止水パッキン１０２を介して密着する。そのために、従来技術のように壁モールを設けなくても止水効果が生じる。また、第２の壁パネル９６の起立部９８と第３の壁パネル９７の起立部９８の隙間が小さくなって目立たないので、自然に繋がっているようになり、意匠性が向上する。
【０１１７】
（実施例５）
本発明に係る壁パネルの組立方法の実施例５について、図１３〜図１７を参照して以下説明する。
【０１１８】
この実施例５の壁パネルの組立方法は、実施例１の壁パネルの組立方法と略同じであるが、組立方法の対象の一部である第２の壁パネル１４６と第３の壁パネル１４７の接続構造について、連結材および壁パネルの構成が一部異なる。従って、ここでは、実施例５の壁パネルの組立方法について、実施例１と異なる点を中心に説明する。
【０１１９】
実施例５では、図１７（ａ）〜（ｃ）に示すように、互いに横並びで直線的に連結される第２の壁パネル１４６と第３の壁パネル１４７は、互いに対面して連結される側端部に、それぞれ浴室外側（背面側）に直角に折り曲げられた起立部１４８が形成されている。
【０１２０】
図１７（ａ）に示すように、第２の壁パネル１４６の起立部１４８と第３の壁パネル１４７の起立部１４８のいずれかまたは両方の内面に、壁モールに較べて構造が簡単な止水パッキン１４９を装着しておけば、第２の壁パネル１４６と第３の壁パネル１４７を連結した際に、図１７（ｃ）に示すように、両起立部１４８の間に止水パッキン１４９が挟持されて、止水性を向上させることが可能となる。
【０１２１】
第２の壁パネル１４６と第３の壁パネル１４７は、図１５、図１６に示すような連結材１５６で連結する。連結材１５６は、内側連結材１５７と外側連結材１５８から構成される。
【０１２２】
内側連結材１５７は、弾性を有する金属板、樹脂板等の材料で形成されており、図１３（ａ）、（ｂ）に示すように、背部１６１と、背部１６１の左右両端から正面側に向けて折り曲げられた左右の側部１６２から成る。
【０１２３】
内側連結材１５７の左右の側部１６２は、それぞれその正面側には、互いに離れる外側方向に拡開するように屈曲変形された変形部１６３を備え、左右の変形部１６３の先端側には、それぞれ互いに内側（互いに対面する側に）に向けて鋭角的に折り返された壁当接部１６４を備えている。
【０１２４】
左右の側部１６２には、それぞれ複数の切欠部１６５が長手方向（上下方向）に間隔をおいて形成されている。この切欠部１６５は、図１３（ａ）、（ｃ）に示すように、側面視（図１３（ａ）の矢印Ｃ方向に見た状態）で横長長方形をしている。
【０１２５】
外側連結材１５８は、図１４（ａ）、（ｂ）に示すように、背部１７１と左右の側部１７２から成る。外側連結材１５８は、端部に向かうにつれて両端部が近づく形状に形成されている。即ち、左右の側部１７２は、正面側に向かうにつれて互いの端部（両端部）が近づく形状に形成されている。このような左右の側部１７２の端部は、後記するが、内側連結材１５７の左右の変形部１６３を内側（互いに近づく方向）に変形させる押圧部１７３として機能する。
【０１２６】
外側連結材１５８の左右の側部１７２の先端側の内面（左右の側部が互いに対向する面）には、内側連結材１５７の複数の切欠部１６５に対応し長手方向に間隔をおいて、図１４（ａ）に示すように、複数の突起部１７６が形成されている。
【０１２７】
この突起部１７６は、図１４（ｃ）〜（ｅ）に一例を示すように、側面視（図１４（ｂ）の矢印Ｃ方向に見た状態）で矩形をしており、図１４（ｃ）〜（ｄ）に示すように、側部１７２から内側（左右の側部１７２が対向する側）に切り起された突片で形成されている。なお、突起部１７６は、側部１７２を内側に突出するように窪ませた構成としてもよいし、側部１７２の内側に突出するような別部材を固定した構成としてもよい。
【０１２８】
突起部１７６の上下方向の寸法は、内側連結材１５７の切欠部１６５内に嵌ってスムースに案内されるように、切欠部１６５の上下方向の寸法より、若干小さく形成されている。なお、外側連結材１５８は、弾性を有するが、内側連結材１５７に較べて剛性がある金属材、樹脂材等の材料で製造する。           
【０１２９】
これによって、後記するが、図１７（ｂ）、（ｃ）に示すように、外側連結材１５８を内側連結材１５７に背面側から嵌合していく過程において、外側連結材１５８は弾力的にあまり変形することなく、内側連結材１５７における左右の変形部１６３を互いに近づく方向（内側方向）に弾性変形させることができる。
【０１３０】
（組立工程）
以上の構成から成る連結材１５６を使用した本発明に係る壁パネルの組立方法について、その組立工程に沿って以下説明する。まず、第１の壁パネル１４５と第２の壁パネル１４６を、実施例１の場合と同様に、浴室ユニットの床６の上に互いに直交する方向に載せて仮設置する（図１参照）。
【０１３１】
次に、図１７（ａ）に示すように、第２の壁パネル１４６と第３の壁パネル１４７を、それぞれ起立部１４８を互いに対面した状態で浴室パン等の床４上に仮設置する。そして、内側連結材１５７を、その左右の壁当接部１６４の間に、第２の壁パネル１４６と第３の壁パネル１４７の起立部１４８が位置するようにして、背面側から、図１７（ａ）に示すように配置する。
【０１３２】
次に、外側連結材１５８を、内側連結材１５７に背面側から近づけ、図１５（ａ）、図１７（ｂ）に示すように、外側連結材１５８における左右の側部１７２の押圧部１７３の間に、内側連結材１５７を嵌合する。
【０１３３】
そして、外側連結材１５８を、その背部１７１を木槌で内側連結材１５７側に叩いて移動させると、外側連結材１５８の左右の突起部１７６は、内側連結材１５７の左右の切欠部１６５に嵌まり、切欠部１６５によって案内され、外側連結材１５８は内側連結材１５７に対してより深く嵌合していく。
【０１３４】
この過程において、外側連結材１５８の左右の押圧部１７３は、内側連結材１５７における左右の変形部１６３を、弾力に抗して互いに近づける方向に弾性変形させる。すると、内側連結材１５７の左右の壁当接部１６４は、それぞれ第２の壁パネル１４６と第３の壁パネル１４７の起立部１４８に当接し、さらに鋭角状態に弾性変形して曲げられる。このように折り曲げられる左右の壁当接部１６４の弾力によって、左右の起立部１４８は、止水パッキン１４９を介して互いに押圧される。
【０１３５】
そして、外側連結材１５８の左右の突起部１７６が、内側連結材１５７の左右の切欠部１６５の正面側の端面まで案内されると、外側連結材１５８は、内側連結材１５７に対して最も深く嵌合した状態となる。
【０１３６】
その結果、図１６（ａ）、（ｂ）、図１７（ｃ）に示すように、左右の壁当接部１６４の弾力によって、第２の壁パネル１４６と第３の壁パネル１４７は、互いの起立部１４８が、止水パッキン１４９を介して互いに密着した状態となって、連結される。
【０１３７】
この壁パネルの組立方法によれば、内側連結材１５７は、その弾力で第２の壁パネル１４６と第３の壁パネル１４７の左右の起立部１４８を左右から付勢して挟みつけ、止水パッキン１４９を介して互いに密着させる。そのために、従来技術のように壁モールを設けなくても、図１７（ａ）〜（ｃ）に示すように、簡単な止水パッキン１４９を起立部１４８に装着すれば、止水効果が向上する。      
【０１３８】
また、この壁パネルの組立方法によれば、第２の壁パネル１４６の起立部１４８と第３の壁パネル１４７の起立部１４８の隙間が小さくなって目立たないので、自然に繋がっているようになり、意匠性が向上する。
【０１３９】
そして、内側連結材１５７に外側連結材１５８を嵌合して正面側に押し込んで行く際に、突起部１７６が内側連結材１５７の切欠部１６５に嵌まって案内されるので、この押し込む作業は、外側連結材１５８が内側連結材１５７に対して上下方向に滑ったりすることなく、スムースに行うことができる。
【０１４０】
さらに、第２の壁パネル１４６と第３の壁パネル１４７の連結状態では、突起部１７６が内側連結材１５７の切欠部１６５に嵌まっているので、地震その他の原因により、内側連結材１５７と外側連結材１５８の間で、上下方向に相対的な外力が加わっても、内側連結材１５７および外側連結材１５８は、互いに上下方向にずれにくくなるので、安定した連結状態を保持することが可能となる。
【０１４１】
（実施例６）
本発明に係る壁パネルの組立方法の実施例６について、図１８〜図２２を参照して以下説明する。
【０１４２】
この実施例６の壁パネルの組立方法は、実施例１の壁パネルの組立方法と略同じであるが、組立方法の対象の一部である第２の壁パネル１８６と第３の壁パネル１８７の接続構造について、連結材および壁パネルの構成が一部異なる。従って、ここでは、実施例６の壁パネルの組立方法について、実施例１と異なる点を中心に説明する。
【０１４３】
実施例６では、図２２（ａ）、（ｂ）に示すように、互いに横並びで直線的に連結される第２の壁パネル１８６と第３の壁パネル１８７は、互いに対面して連結される側端部に、それぞれ背面側（浴室外側）に向けて直角に折り曲げられた略Ｌ字形の起立部１８８が形成されている。
【０１４４】
そして、第２の壁パネル１８６の起立部１８８と第３の壁パネル１８７の起立部１８８のいずれかまたは両方の対向面に、壁モールに較べて構造が簡単な止水パッキン１８９を装着する。
【０１４５】
第２の壁パネル１８６と第３の壁パネル１８７は、図２０、図２１に示すような連結材１９６で連結される。具体的には、連結材１９６は、第２の壁パネル１８６と第３の壁パネル１８７に渡ってこれら二枚の壁パネル５、６の背面に嵌合し、図２２（ｂ）に示すように、第２の壁パネル１８６と第３の壁パネル１８７を連結する。
【０１４６】
詳細は後記するが、第２の壁パネル１８６と第３の壁パネル１８７を横並びで直線的に連結する際に、内側連結材１９７は、図２２（ａ）に示すように、第２の壁パネル１８６の起立部１８８と第３の壁パネル１８７の起立部１８８を左右から挟む位置に配置する。そして、内側連結材１９７の背面側に外側連結材１９８嵌合して重ね、内側連結材１９７によって第２の壁パネル１８６と第３の壁パネル１８７の起立部１８８を挟持する。
【０１４７】
内側連結材１９７は、弾性を有する金属板、樹脂板等の材料で形成されており、図１８（ａ）、（ｂ）に示すように、背部２０１と、背部２０１の左右両端から正面側に向けて折り曲げられた左右の側部２０２と、左右の側部２０２から互いに向き合いかつ間隔をおいて形成された左右の正面部２０３と、左右の正面部２０３から背部２０１に向けて折り曲げられた左右の壁当接部２０４と、を備えている。
【０１４８】
左右の側部２０２における前後方向の略中央部の２０６には、図１８（ａ）に示すように、上下方向に間隔をおいて複数の突起部２０５が形成されている。後記するが、内側連結材１９７の背面側に外側連結材１９８を嵌合して重ねると、図１８（ｄ）、図２２（ｂ）に示すように、突起部２０５が外側連結材１９８の内壁面に当接することで、左右の側部２０２は、左右外側から内側へ外力が作用されて内側に変形する。    
【０１４９】
このようなことを考慮し、左右外側から内側へ外力が作用されて内側に変形する左右の側部２０２は、本実施例６では「変形部」ともいう。以下、内側連結材１９７の左右の側部２０２は、それぞれ変形部と表現し、変形部は側部２０２と同じ符号２０２を付ける。
【０１５０】
突起部２０５は、いろいろな構造が考えられるが、本実施例６の突起部２０５は、図１８（ｃ）に示すように、変形部２０２に上下方向に平行して二本の切り込み２０７を入れ、二本の切り込み２０７の間の部分を外側に押圧し、正面視で略へ字形に突出するように変形させて形成された構成である。その他、変形部２０２を絞り加工によって、外側に向けて凸状に盛り上がるように形成された突起部等の構造でもよい。
【０１５１】
外側連結材１９８は、内側連結材１９７よりも剛性が強くなるように形成されている。例えば、外側連結材１９８は、内側連結材１９７より剛性の強い材質の金属板、樹脂板等の材料で形成されている、あるいは内側連結材１９７と剛性は同じ材質でも、より厚さの厚い材料で形成されている。
【０１５２】
外側連結材１９８は、平面視で図１９（ａ）、（ｂ）に示すように凹字形をしており、背部２１１と左右の側部２１２から成る。外側連結材１９８の左右の側部２１２には、それぞれ内側連結材１９７の突起部２０５に対応して同数の切欠部２１３が設けられている。切欠部２１３は、左右の側部２１２の長手方向（上下方向）に突起部２０５と同じ間隔で設けられている。切欠部２１３は、突起部２０５が嵌入する大きさに形成されている。
【０１５３】
なお、後記する作用の説明においても記載するが、第２の壁パネル１８６と第３の壁パネル１８７を連結すると、内側連結材１９７の突起部２０５は、外側連結材１９８の側部２１２の内壁面に当接する。
【０１５４】
（組立工程）
以上の構成から成る浴室ユニットの壁パネルを組み立てる壁パネルの組立方法について、その組立工程に沿って以下説明する。まず、浴室ユニットの壁パネルを構成するコーナー部の二枚の第１の壁パネル１８５と第２の壁パネル１８６を、実施例１と同様に、浴室ユニットの床６の上に互いに直交する方向に載せ、仮連結した状態に仮設置する工程を行う（図１参照）。
【０１５５】
次に、図２２（ａ）に示すように、第２の壁パネル１８６と第３の壁パネル１８７を、それぞれ起立部１８８を互いに対面した状態とし、浴室パン等の床４上に仮設置する。次に、図２０（ａ）に示すように、外側連結材１９８を、内側連結材１９７の背面側に嵌合して重ね、内側連結材１９７の複数の突起部２５を、それぞれ外側連結材１９８の切欠部２１３内に嵌入する。
【０１５６】
そして、外側連結材１９８を嵌合した状態の内側連結材１９７を、図２０（ａ）に示すように、その左右の壁当接部２０４の間に、第２の壁パネル１８６の起立部１８８と第３の壁パネル１８７の起立部１８８が位置するようにして、左右の起立部１８８を背面側から囲うように配置する。
【０１５７】
次に、図２０（ａ）の矢印Ｙに示すように、木槌等によって内側連結材１９７を下方に叩き、内側連結材１９７を外側連結材１９８内で下方移動させる。このように内側連結材１９７を下方に移動させると、左右の突起部２０５は、左右の切欠部２１３から外側連結材１９８の左右の側部２１２の内壁面側に入り込む。すると、左右の突起部２０５は、外側連結材１９８の左右の側部２１２の内壁面に対して、押圧力を作用する。            
【０１５８】
しかし、外側連結材１９８は、内側連結材１９７より剛性が強いために、外側連結材１９８は、突起部２０５によって押圧力が作用されても変形することはなく、押圧力は内側連結材１９７に対して内側方向（左右中心方向）への反力として作用する。この反力は、内側連結材１９７の左右の変形部２０２に対して内側へ作用し、左右の変形部２０２を、その弾力に抗して互いに近づく左右の中心側に向けて変形させる。
【０１５９】
そのため、内側連結材１９７は、左右の変形部２０２が互いに近づく内側に向けて変形し、左右の突起部２０５が外側連結材１９８の内壁面に当接した状態で、外側連結材１９８内を下方に摺動することが可能となる。
【０１６０】
このようにして、内側連結材１９７を外側連結材１９８内で下方に摺動させて、図２１（ａ）に示すように、内側連結材１９７と外側連結材１９８の上端が揃い、しかも左右の突起部２０５が外側連結材１９８の内壁面と当接している状態とする。
【０１６１】
この図２１（ａ）の状態では、内側連結材１９７の左右の突起部２０５が、外側連結材１９８の左右の側部２１２の内壁面に当接しているために、図１８（ｄ）、図２１（ａ）、（ｂ）、図２２（ｂ）に示すように、内側連結材１９７の左右の変形部２０２は内側に押圧され変形した状態を維持する。
【０１６２】
これによって、図２２（ｂ）に示すように、内側連結材１９７の左右の壁当接部２０４は、それぞれ第２の壁パネル１８６の起立部１８８および第３の壁パネル１８７の起立部１８８に当接して、二つの起立部１８８同士を止水パッキン１８９を介して互いに押圧して密着した状態とし、第２の壁パネル１８６と第３の壁パネル１８７を、図２２（ｂ）の矢印Ｘに示すように寄せ合って連結する。
【０１６３】
上記のとおり、実施例６における壁パネルの組立方法では、内側連結材１９７は、その左右の変形部２０２が外側連結材１９８によって左右の突起部２０５を介して内側に変形し、左右の壁当接部２０４によって、第２の壁パネル１８６の起立部１８８と第３の壁パネル１８７の起立部１８８を左右から付勢して挟みつけ、止水パッキン１８９を介して互いに密着させる構成である。
【０１６４】
そのために、この浴室用の壁パネルの組立方法では、従来技術のような壁モールを設けなくても、図２２（ａ）、（ｂ）に示すように、簡単な止水パッキン１８９を起立部１８８に装着するだけで、止水効果が生じるとともに、第２の壁パネル１８６の起立部１８８と第３の壁パネル１８７の起立部１８８の隙間が小さくなって目立たないので、自然に繋がっているようになり、意匠性が向上する。
【０１６５】
なお、内側連結材１９７には複数の突起部２０５を設け、外側連結材１９８には複数の切欠部２１３設け、突起部２０５は切欠部２１３内に嵌合可能としたので、内側連結材１９７と外側連結材１９８は、互いに一挙に相対的にスライドするようなことがなく、小槌等で叩いて、内側連結材１９７を外側連結材１９８内に徐々に挿入して行くことが可能となる。
【０１６６】
（実施例７）
本発明に係る壁パネルの組立方法の実施例７について、図２３〜図２５を参照して以下説明する。
【０１６７】
この実施例７の壁パネルの組立方法は、実施例１の壁パネルの組立方法に比較して、コーナー部の第１の壁パネルと第２の壁パネルを床パンまたはそれに類する壁積載部材に仮設置する工程と、仮設置された第２の壁パネルに隣接する第３の壁パネルを床パンまたはそれに類する壁積載部材にさらに仮設置する工程と、直線的に隣接された第２の壁パネルと第３の壁パネル同士を当接用部材にて近づけて当接させる工程とを備え、当接用部材として、隣接された壁パネルの背面に渡って設けられる連結材を使用する点において同じである。
【０１６８】
しかしながら、実施例７は、実施例１に対して、壁パネルの組立方法の対象の一部である横並びで直線的に連結する第２の壁パネル２２６と第３の壁パネル２２７（図２３参照）の接続において、異なる特徴を有する。従って、実施例７については、その特徴である横並びで直線的に連結する第２の壁パネル２２６と第３の壁パネル２２７の接続を中心に説明する。
【０１６９】
実施例１では、連結材は、突起部を備えた連結材と、突起部が嵌合される少なくとも一部が傾斜した溝部を備えた二つの連結材からなり、二つの連結材を重ね、構部に突起部を嵌合させて壁パネル同士を当接させるのに対して、実施例７では、壁パネルの背面に係合部材（実施例７では後記する縦桟）を設け、この係合部材と連結材のいずれかに設けた突起部を、もう一方に設けた少なくとも一部が傾斜する溝部に嵌合させることで、壁パネル同士を当接させる点を特徴とする。                                
【０１７０】
実施例７について、さらに具体的に、以下説明する。実施例７では、図２３（ａ）、（ｂ）、図２５（ａ）に示すように、横並びで直線的に隣接された状態で配置された第２の壁パネル２２６と第３の壁パネル２２７を、図２４（ｃ）に示すような連結材２２８によって、図２５（ｃ）に示すように連結する。
【０１７１】
第２の壁パネル２２６の背面（浴室外側の面）であって第３の壁パネル２２７と接続する側端部に、図２３（ａ）、（ｂ）、図２５（ａ）に示すように、第２の縦桟２３２が設けられている。同様に、第３の壁パネル２２７の背面であって第２の壁パネル２２６と接続する側端部に、図２３（ａ）、（ｂ）、図２５（ａ）に示すように、第３の縦桟２３３が設けられている。
【０１７２】
第２の縦桟２３２および第３の縦桟２３３は、後記するが、それぞれ溝部２３６、２４１が形成されており、溝部２３６、２４１に連結材２２８に設けられた突起部２４６が嵌合することで、連結材２２８と係合する部材であるので、本発明においては「係合部材」とも言う。
【０１７３】
実施例７では、第２の縦桟２３２には、その背面（浴室外側の面）に、図２３（ａ）に示すように、上下複数の溝部２３６が上下方向に延びるように形成されている。この溝部２３６は、図２３（ａ）、（ｂ）、図２４（ｂ）に示すように、太幅部２３７と細幅部２３８を有する。
【０１７４】
第２の縦桟２３２における溝部２３６の一部として形成されている細幅部２３８は、図２４（ｂ）に示すように、下方に向けて第３の縦桟２３３の側端部から徐々に離れる方向に傾斜して形成されている。要するに、第２の壁パネル２２６における第３の縦桟２３２には、少なくとも一部が傾斜する溝部２３６が設けられている。
【０１７５】
第３の縦桟２３３には、その背面（浴室外側の面）に、図２３（ａ）に示すように、上下複数の溝部２４１が形成されている。この溝部２４１は、図２３（ａ）、（ｂ）、図２４（ａ）に示すように、太幅部２４２と細幅部２４３を有する。溝部２４１の太幅部２４２と細幅部２４３は、上下垂直方向に延びるように形成されている。
【０１７６】
他方、第２の壁パネル２２６と第３の壁パネル２２７を接続する連結材２２８には、図２４（ｃ）に示すように、左右に上下複数の突起部２４６が設けられている。複数の突起部２４６は、それぞれ第２の壁パネル２２６の溝部２３６と第３の壁パネル２２７の溝部２４１に対応して設けられている。
【０１７７】
突起部２４６は、図２５（ｂ）、（ｃ）に示すように、大径部２４７と小径部２４８を有する。大径部２４７は、正面側（浴室の内側）に向けて突出するように形成されている。そして、大径部２４７は、第２の縦桟の溝部２３６および第３の縦桟の溝部２４１と比較して、太幅部２３７、２４２より小径であり、細幅部２３８、２４３より大径である。また、小径部２４８は、第２の縦桟の溝部２３６および第３の縦桟の溝部２４１の細幅部２３８、２４３より小径である。
【０１７８】
なお、実施例７では、第２の縦桟２３２および第３の縦桟２３３に、それぞれ溝部２３６、２４１を形成し、連結材２２８に突起部２４６を形成した壁パネルの接続構造を組立対象としているが、第２の縦桟２３２および第３の縦桟２３３にそれぞれ突起部を形成し、連結材２２８に少なくとも一部が傾斜する溝部を形成した壁パネルの接続構造を組立対象としてもよい。
【０１７９】
（組立工程）
実施例４における壁パネルの組立方法は、まず、第１の壁パネル２２５と第２の壁パネル２２６を、実施例１の場合と同様に、浴室ユニットの床６の上に互いに直交する方向に載せて仮設置する（図１参照）。
【０１８０】
次に、図２３（ａ）、（ｂ）、図２５（ａ）に示すように、第２の壁パネル２２６と第３の壁パネル２２７を、第２の縦桟２３２と第３の縦桟２３３が互いに止水パッキン２５１を介して対面した状態となるようにして、横並びで直線的に浴室パン等の床４上に仮設置する。
【０１８１】
次に、連結材２２８の突起部２４６の大径部２４７を、第２の縦桟２３２および第３の縦桟２３３の背面側から、溝部２３６、２４１の太幅部２３７、２４２を通して、図２５（ｂ）に示すように、第２の縦桟２３２および第３の縦桟２３３内に挿入する。
【０１８２】
そして、連結材２２８を、木槌等で叩いて下方に移動させると、連結材２２８の突起部２４６の小径部２４８は、溝部２３６、２４１の細幅部２３８、２４３に沿って下方に移動する。
【０１８３】
第２の縦桟の溝部２３６の細幅部２３８は、図２３（ａ）、（ｂ）、図２４（ｂ）に示すように、下方に向かうに従って側端部から離れる方向に傾斜しているために、突起部２４６の小径部２４８が細幅部２３８に沿って下方に移動すると、第２の縦桟２３２を第３の縦桟２３３の方向に寄せる。これによって、図２５（ｃ）に示すように、第２の壁パネル２２６と第３の壁パネル２２７同士は、止水パッキン２５１を介して互いに当接した状態となって連結する。
【０１８４】
以上のような実施例３における壁パネルの組立方法によれば、従来技術のような壁モールを設けなくても、図２５（ｃ）に示すように、簡単な止水パッキン２５１を第２の壁パネル２２６と第３の壁パネル２２７の間に設けるだけで、止水効果が生じる。しかも、第２の壁パネル２２６と第３の壁パネル２２７の隙間が小さくなって目立たないので、自然に繋がっているようになり、意匠性が向上する。
【０１８５】
以上、本発明に係る壁パネルの組立方法を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【０１８６】
本発明に係る壁パネルの組立方法は上記のような構成であるから、浴室の壁パネル、その他止水性、密封性を要する壁の組立方法にも適用可能である。
【符号の説明】
【０１８７】
１、９５、１４５、１８５、２２５  第１の壁パネル                         
２、９６、１４６、１８６、２２６  第２の壁パネル                         
３、９７、１４７、１８７、２２７  第３の壁パネル                   
４  端面の折り返し部分                     
５、１０２、１４９、１８９、２５１  止水パッキン                           
６  浴室ユニットの床                       
６ａ  浴槽床                                 
６ｂ  洗い場床                               
７  壁パネルの端面
９  突起部付き連結材                       
１０  溝部付き連結材                       
１３  突起部                               
１４  突起部付き連結材の壁当接部           
１５  突起部付き連結材の連結材接続部       
１６  突起部付き連結材の折り返し壁
１７  突起部付き連結材の折り返し部
１８  溝部付き連結材の折り返し部
２０  突起部の小径部                       
２１  突起部の大径部
２２  突起部付き連結材の折り返し壁
２５  溝部                                 
２６  溝部付き連結材の壁当接部               
２７  溝部付き連結材の連結材接続部           
２８  溝部付き連結材の折り返し壁           
２９  溝部付き連結材の連結材位置決め部
３０  溝部付き連結材の折り返し壁                               
３３  溝部の突起部挿入部                   
３４  溝部の突起部保持部                   
３５  細溝部                               
４０  変形例の溝部                         
４１  他の変形例の溝部
４２  細溝部
４３  固定孔
５０、５１  壁パネル
５２  連結材
５６  縦桟
５７  太幅部
５８  細幅部
５９  スリット
６３  大径部
６４  突起
６５  モール
７０  第３の壁パネルの折り返し部分
７１  第２の壁パネル折り返し部分
７５  突起部付き連結材
７８  溝部付き連結材
８０  突起部付き連結材
８１  溝部付き連結材
９８  起立部                             
９９  折り返し部                         
１００  連結材当接部                           
１０１  連結材
１１２  外側連結材                   
１１３  突起部                           
１１４  小径部                           
１１５  大径部                           
１１６  外側連結材の背部             
１１７  外側連結材の側部             
１１８  外側連結材の押圧部               
１２１  内側連結材                     
１２２  溝部 
１２３  細溝部                            
１２７  内側連結材の背部               
１２８  内側連結材の側部               
１２９  内側連結材の拡張部             
１３０  溝部上端の開口                   
１３５  正面部                           
１３６  壁当接部 
１４８  起立部                         
１５６  連結材                         
１５７  内側連結材                     
１５８  外側連結材                     
１６１  内側連結材の背部               
１６２  内側連結材の左右の側部         
１６３  内側連結材の変形部             
１６４  壁当接部                       
１６５  切欠部                       
１７１  外側連結材の背部               
１７２  外側連結材の左右の側部               
１７３  押圧部                       
１７６  外側連結材の突起部
１８５  第１の壁パネル                 
１８６  第２の壁パネル                 
１８７  第３の壁パネル                 
１８８  起立部                         
１９６  連結材                         
１９７  内側連結材                     
１９８  外側連結材                     
２０１  内側連結材の背部               
２０２  内側連結材の左右の側部（変形部）         
２０３  内側連結材の正面部             
２０４  内側連結材の壁当接部                       
２０５  内側連結材の突起部
２０６  内側連結材の左右の側部（変形部）の略中央部
２０７  切り込み                     
２１１  外側連結材の背部               
２１２  外側連結材の左右の側部               
２１３  外側連結材の切欠部
２２８  連結材
２３２  第２の縦桟
２３３  第３の縦桟
２３６  第２の縦桟の溝部
２３７  第２の縦桟の溝部の太幅部
２３８  第２の縦桟の溝部の細幅部
２４１  第３の縦桟の溝部
２４２  第３の縦桟の溝部太幅部
２４３  第３の縦桟の溝部細幅部
２４６  連結材の突起部
２４７  突起部の大径部
２４８  突起部の小径部
【図１】
2019027268.tif 000003
【図２】
2019027268.tif 000004
【図３】
2019027268.tif 000005
【図４】
2019027268.tif 000006
【図５】
2019027268.tif 000007
【図６】
2019027268.tif 000008
【図７】
2019027268.tif 000009
【図８】
2019027268.tif 000010
【図９】
2019027268.tif 000011
【図１０】
2019027268.tif 000012
【図１１】
2019027268.tif 000013
【図１２】
2019027268.tif 000014
【図１３】
2019027268.tif 000015
【図１４】
2019027268.tif 000016
【図１５】
2019027268.tif 000017
【図１６】
2019027268.tif 000018
【図１７】
2019027268.tif 000019
【図１８】
2019027268.tif 000020
【図１９】
2019027268.tif 000021
【図２０】
2019027268.tif 000022
【図２１】
2019027268.tif 000023
【図２２】
2019027268.tif 000024
【図２３】
2019027268.tif 000025
【図２４】
2019027268.tif 000026
【図２５】
2019027268.tif 000027
【図２６】
2019027268.tif 000028
【図２７】
2019027268.tif 000029